(57)【要約】【課題】回転ブラシに巻き付いた毛髪等が軸受に侵入して支持軸に絡みつくことのない電気掃除機の吸込み具を提供する。【解決手段】吸込み口３を有する下ケース２と、外周面の長手方向に複数の回転清掃体が装着され下ケース２内に回転自在に支持されて導入された空気流によって回転する回転ブラシ３０と、下ケース２の上部を覆う上ケース５と、下ケース２と上ケース５に挟持された接続パイプとを備えた吸込み具において、回転ブラシ３０の両端部に支持リング５０ａ，５０ｂを固定すると共に、下ケース２と上ケース５とにより支持リング３０を支持する軸受６１を挾持し、軸受６１と支持リング５０ａ，５０ｂとの連結部をラビリンス構造とした。【選択図】        図３
2004283405.tif 000002
【特許請求の範囲】
【請求項１】
吸込み口を有する下ケースと、外周面の長手方向に複数の回転清掃体が装着され前記下ケース内に回転自在に支持されて導入された空気流によって回転する回転ブラシと、前記下ケースの上部を覆う上ケースと、前記下ケースと上ケースに挟持された接続パイプとを備えた吸込み具において、
前記回転ブラシの両端部に支持リングを固定すると共に、前記下ケースと上ケースとにより前記支持リングを支持する軸受を挾持し、該軸受と前記支持リングとの連結部をラビリンス構造としたことを特徴とする電気掃除機の吸込み具。
【請求項２】
前記支持リングの外径を前記軸受の外径より大きく形成し、前記支持リングにより軸受の外周を覆うように構成したことを特徴とする請求項１記載の電気掃除機の吸込み具。
【請求項３】
前記下ケースと上ケースに、前記軸受を挟持したときに前記回転ブラシに設けた支持リングの外周面に当接又は近接して対向する円弧状の支持フランジを設けたことを特徴とする請求項１又は２記載の電気掃除機の吸込み具。
【請求項４】
前記対向する支持フランジと前記支持リングの外周面との間に起毛布部材を配設したことを特徴とする請求項３記載の電気掃除機の吸込み具。
【発明の詳細な説明】
【０００１】
【発明の属する技術分野】
本発明は、電気掃除機の吸込み具に係り、さらに詳しくは、吸引した空気流により回転ブラシを回転させる電気掃除機の吸込み具に関するものである。
【０００２】
【従来の技術】
従来の電気掃除機用吸込み口体（吸込み具）に、吸塵開口部とは別に外気を流入可能な吸気口を備え、回転清掃体は内部を中空とし、回転清掃体のほぼ円筒面の長手方向に伸びてほぼ円筒面に突設された複数の動翼ファンと、回転清掃体の内部に貫通し隣接した動翼ファンの間に穿設された回転開口部をとを有し、吸気口から流入した吸気が回転清掃体の内部から回転開口部を通って回転清掃体を回転させるようにしたものがある（例えば、特許文献１参照）。
【０００３】
【特許文献１】
特開平１１−１２８１２８号公報（第２−３頁、図１、２）
【０００４】
【発明が解決しようとする課題】
特許文献１に記載の吸込み口体は、回転清掃体の支持リングとケース本体との間の隙間がリブ状に形成されており、また、軸受と回転軸との間の隙間が回転清掃体方向に向いているため、髪の毛が回転清掃体の端部に巻きついた際回転軸方向に侵入しやすく、また、回転軸に直接からんでしまい、回転清掃体の回転が不安定になるという問題があった。
【０００５】
本発明は、上記の課題を解決するためになされたもので、回転ブラシに巻き付いた毛髪等が軸受に侵入して支持軸に絡みつくことのない電気掃除機の吸込具を提供することを目的としたものである。
【０００６】
【課題を解決するための手段】
本発明に係る電気掃除機の吸込み具は、吸込み口を有する下ケースと、外周面の長手方向に複数の回転清掃体が装着され前記下ケース内に回転自在に支持されて導入された空気流によって回転する回転ブラシと、前記下ケースの上部を覆う上ケースと、前記下ケースと上ケースに挟持された接続パイプとを備えた吸込み具において、前記回転ブラシの両端部に支持リングを固定すると共に、前記下ケースと上ケースとにより前記支持リングを支持する軸受を挾持し、該軸受と前記支持リングとの連結部をラビリンス構造としたものである。
【０００７】
【発明の実施の形態】
図１は本発明の一実施の形態に係る電気掃除機の吸込み具の下面図、図２は図１の平面図、図３は一部を省略した図１の分解斜視図である。
吸込み具１（以下、本体と記すことがある）は左右方向に長く、下面の長手方向に吸込み口３を有する下ケース２と、前後に分割されて下ケース２の上面を覆う前部上ケース４及び後部上ケース５と、下ケース２と後部上ケース５との間に挟持された接続パイプ６と、下ケース２の前面及び側面の一部に設けられ、本体１を保護するバンパー７と、下ケース２と前後の上ケース４，５の間に回転自在に支持された回転ブラシ３０とを備えている。
【０００８】
下ケース２の前面側の両側には、バンパー７の下から底面にかけて設けられた起毛布取付部８に起毛布９が取付けられており、この起毛布取付部８の間には所定の間隔で設けたガイド壁１１の間に、吸込み口３に連通する複数の前風路１０が設けられている。
【０００９】
また、下ケース２の両側壁１２ａ，１２ｂには、バンパー７から半円状の円弧部１３が上方に突設しており、この円弧部１３には複数の外気取入口１４が設けられている。そして、両側壁１２ａ，１２ｂの内面側にはリブを介して縦壁１５が設けられており、この縦壁１５には上部が開口されたほぼ四角形状の切欠き部１６が設けられ、この切欠き部１６と両側壁１２ａ，１２ｂとの間には後述の軸受に設けた嵌合突部の収容部１７が形成されている。また、縦壁１５の内側には、所定のすき間を隔てて下部が縦壁１５に連なる半円状の下部支持フランジ１８が、吸込み口３に臨んで設けられている。１９は下ケース２の底部の後部側の長手方向に設けられ、軟質材からなる固定清掃体２０が取付けられる取付溝である。
【００１０】
後部下ケース５の両側壁２１ａ，２１ｂは、上部がほぼ半円状に形成され、その外面後部側には下ケース２の円弧部１３の係止部２２が設けられており、両側壁２１ａ，２１ｂの下部には下ケース２の切欠き部１６に対応して切除部２３が設けられている。また、側壁１２ａ，１２ｂの内側には、所定のすき間を隔てて下ケース２の下部支持フランジ１８と対向する半円状の上部支持フランジ２４が設けられている。
【００１１】
図４は回転ブラシの分解斜視図、図５は図４の要部拡大図である。
本実施の形態に係る回転ブラシ３０は、全長を２分割した中空円筒状の第１の回転体３２ａと第２の回転体３２ｂ（以下、単に回転体３２と記すことがある）を結合してなる本体部３１、本体部３１に貫通されて本体部３１を支持する支持軸４５、及び本体部３１の両端部に結合される支持リング５０ａ，５０ｂからなっている。
【００１２】
そして、第１、第２の回転体３２ａ，３２ｂの外周には、凸状の溝を有し、軟質植毛や硬質植毛からなる刷毛あるいはブレードなどの回転清掃体（図示せず）が装着されるスパイラル状の複数の清掃体取付部３３が突設されている。なお、この清掃体取付部３３の両端部はそれぞれ第１、第２の回転体３２ａ，３２ｂの端部から内側に切除されて嵌合部３４が形成されている。
【００１３】
第１の回転体３２ａの結合部側は、回転体３２ａの内径とほぼ等しい外径で端面から突出した嵌合凸部３５が設けられており、その中心部には中心に貫通穴３７を有し、軸方向に複数のスリット３８が設けられた円筒状の嵌合部３６が突設されている。３９は嵌合凸部３５の外周に突設された位置決め用係止部である。
【００１４】
第２の回転体３２ｂの結合部側には、回転体３２ａの嵌合凸部３５の突出長に対応して端部より内側に嵌合凹部４０が設けられており、その中心部には回転体３２ａの嵌合部３６が嵌入する嵌合穴４１が設けられている。この嵌合穴４１の入側（端部側）の内径は嵌合部３６の外径とほぼ等しく、奥になるにしたがって徐々に縮径され、出側の内径は嵌合部３６の外径より若干小さくなっている。４３は回転体３２ａの位置決め用係止部３９が係止する位置決め用係合部である。
４３は第１、第２の回転体３２ａ，３２ｂの結合部の近傍において、清掃体取付部３３の間に設けられた空気流の噴気口で、その内側には回転翼４４が設けられている。
【００１５】
第１、第２の回転体３２ａ，３２ｂに貫挿される支持軸４５は金属棒からなり、その外径は第１の回転体３２ａの嵌合部３６の貫通穴３７の内径とほぼ等しく、その長さは両回転体３２ａ，３２ｂを結合したときの長さより若干長く形成されている。また、両端部近傍にはスプライン加工やローレット加工などの凹凸部３１（以下、スプライン３１という）が設けられている。
【００１６】
第１、第２の回転体３２ａ，３２ｂの端部開口部に装着される支持リング５０ａ，５０ｂ（以下、単に５０と記すことがある）は同じ構造なので、以下、図５により一方の支持リング５０について説明する。図５において、（ａ）は正面図、（ｂ）は右側面図、（ｃ）は左側面図、（ｄ）は断面図である。
【００１７】
支持リング５０は半径が下ケース２の下部支持フランジ１８の半径とほぼ等しいかこれより若干小さい円形の鍔部５１を有し、この鍔部５１に設けた隔壁５１ａの一方の面の中心部には、内径が支持軸４５の外径より若干小径の貫通穴５３を有する筒状の固定部５２が突設されており、その外周にはこれと同心的に回転体３１の内径とほぼ等しい外径で円筒状の第１の嵌合部５４が突設され、さらにその外周にはこれと同心的に内径が回転体３１の嵌合部３４の外径とほぼ等しく、第１の嵌合部５４より低い（突出長が短い）円筒状の第２の嵌合部５５が突設されており、第１、第２の嵌合部５４，５５の間には、回転体３１の両端部の嵌合部３４が挿入される挿入部５６が形成されている。５７は第２の嵌合部５５から突設され、回転体３１の清掃体取付部３３の間に挿入される位置決め片で、その高さは第１の嵌合部５４の高さとほぼ等しく形成されている。
【００１８】
また、支持リング５０の隔壁５１ａの他方の面には、隔壁５１ａから若干突出した固定部５２の外周にこれと同心的に円筒状の第３の嵌合部５８が突設されており、さらにその外周にはこれと同心的に、第１，第２の嵌合部５４，５５のほぼ中間部において、円筒状の第４の嵌合部５９が突設されている。６０は第３の嵌合部５８と第４の嵌合部５９との間において、隔壁５１ａに設けた外気流入孔である。
【００１９】
次に、回転ブラシの組立手順の一例について説明する。
先ず、一方の支持リング５０ａの固定部５２の貫通穴５３に支持軸４５の一端を挿入し、支持軸４５（又は支持リング５０ａ）を押圧してその端部が支持リング５０ａから突出するまで加圧する。これにより、固定部５２の貫通穴５３に支持軸４５のスプライン４６が食い込んで強固かつ回転不能に固定される。
【００２０】
次に、第１の回転体３２ａを開口部から支持軸４５に挿入し、嵌合部３６の貫通穴３７を支持軸４５に挿入する。そして、開口部周縁の清掃体取付部３３が除去された嵌合部３４を、支持リング５０ａの第１、第２の嵌合部５４，５５の間に形成された挿入部５６に挿入する。このとき、第１の嵌合部５４の外周面又は第２の嵌合部５５の内周面に突起が設けられていれば、この突起が嵌合部３４に食い込んでより強く固定される。なお、支持リング５０ａの位置決め片５７は第１の回転体３２ａの清掃体取付部３３の間に位置する。
【００２１】
ついで、第２の回転体３２ｂの嵌合穴４１を支持軸４５に挿入し、その嵌合穴４１を第１の回転体３２ａの嵌合部３６に嵌合すると共に、嵌合凹部４０を嵌合凸部３５に嵌合し、さらに、位置決め用係合部４２を位置決め用係止部３９に整合させる。そして、第２の回転体３２ａを押圧すれば、両者は一体に結合される。このとき、嵌合穴４１は奥になるほど縮径されて嵌合部３６の外径より小径になっているので、嵌合部３６はこれに設けたスリット３８により弾性変形して嵌合穴４１の内壁に密着するため、第２の回転体３２ｂが第２の回転体３２ａから外れることがない。
【００２２】
また、第１、第２の回転体３２ａ，３２ｂは、位置決め用係止部３９と位置決め用係合部４２とによって位置決めされているので、両回転体３２ａ，３２ｂにそれぞれ設けた清掃体取付部３３も結合部において連続して連結される。なお、このとき、支持軸４５のスプライン４６を含む他端は、第２の回転体３２ｂの開口部から突出している。
【００２３】
この状態で、第２の回転体３２ｂの端部（開口部側）から第１、第２の回転体３２ａ，３２ｂの連続した清掃体取付部３３の凸状の溝に、両者の清掃体取付部３３の長さに対応した長さの回転清掃体を挿入し、装着する。
そして、他方の支持リング５０ｂの固定部５２の貫通穴５３を第２の回転体３２ｂの開口部から突出した支持軸４５に嵌合し、加圧する。これにより支持リング５０ｂは回転軸４５に圧入され、かつスプライン４６が固定部５２の貫通穴５３の内壁に食い込んで回転不能に強固に固定される。このとき、第２の回転体３２ｂの嵌合部３４は、支持リング５０ｂの第１、第２の嵌合部５４，５５の間に形成された挿入部５６に挿入され、支持リング５０ｂの位置決め片５７は清掃体取付部３３の間に位置する。
これにより、第１、第２の回転体３２ａ，３２ｂは結合部で一体に結合されると共に、支持軸４５及び支持リング５０ａ，５０ｂにより強固に固定され、かつ外周に清掃体が装着されて回転ブラシ３０が構成される。
【００２４】
次に、上記のように構成した回転ブラシ３０の吸込み具１への取付け手順の一例について説明する。
先ず、その前に、回転ブラシ３０を吸込み具１に回転自在に支持するための軸受について、図７により説明する。図７（ａ）は軸受の正面図、（ｂ）は右側面図、（ｃ）は左側面、（ｄ）は断面図である。
【００２５】
軸受６１は鍔部６１を備えたほぼ皿状の本体部６２を有し、この本体部６２の一方の側（図の右側）の中心部には、支持軸４５の端部が回転自在に支持される支持穴６５を有する円筒状の支持部６４が突設されており、その外周にはこれと同心的に、支持リング５０の第４の嵌合部５９の内径より若干小径で円筒状の支持嵌入部６６が設けられており、支持嵌入部６６と本体部６２の内壁との間には、支持リング５０の第４の嵌合部５９が遊嵌する嵌入部６７が設けられている。なお、鍔部６３の外径は支持リング５０の鍔部５１の内径より若干小さく形成されている。
【００２６】
また、本体部６２の底部の他方の側（図の左側）には、下ケース２の側壁に設けた収容部１７に収容される四角形状の固定突部６８が突設されている。６９は支持部６４と支持嵌入部６６との間において、本体６２の底部に設けた外気流孔である。
【００２７】
上記のような軸受６１は、図８に示すように、支持部６４の支持穴６５を支持リング５０から突出した支持軸４５に遊嵌すると共に、支持嵌入部６６を支持リング５０の第１，第２の嵌合部５８，５９の間に、また、鍔部６３を第２の嵌合部５９と鍔部５１との間にそれぞれ嵌入し、支持リング５０の鍔部５１により軸受６１の外周を覆う。これにより、回転ブラシ３０は、両軸受６１に回転自在に支持される。そして、支持リング５０と軸受６１との連結部には、支持リング５０の第３，第４の嵌入部５８，５９及び鍔部５１と、軸受６１の支持部６４、支持嵌入部６６及び鍔部６３が互いに遊嵌して、ラビリンス構造Ｌ（以下、ラビリンス部ということがある）が構成される。
【００２８】
このように、清掃体取付部３３に清掃体が装着され、両端部に支持リング５０ａ，５０ｂが結合され、この支持リング５０ａ，５０ｂに軸受６１ａ，６１ｂが連結された回転ブラシ３０は、図３，図９に示すように、支持リング５０ａ，５０ｂの鍔部５１を下ケース２の下部支持フランジ１８上に載置すると共に、軸受６１の固定突部６８を下ケース２の収容部１７に挿入する。そして、上方から後部上ケース５の上部支持フランジ２４を支持リング５０ａ，５０ｂの鍔部５１に当接すると共に、切除部２３を固定突部６８の上部に当接し、下ケース２と後部上ケース５との間に接続パイプ６を挾持する。
【００２９】
そして、前部上ケース４の係止片（図示せず）を後部上ケース５の係止穴５ａに係止させ、下ケース２の前上面を覆って下ケース２にビスで固定すれば、吸込み具１の組立が完了する。なお、この場合、支持リング５０ａ，５０ｂの鍔部５１と、上下の支持フランジ１８，２４との間に、例えばウレタン、フエルト等の起毛布部材７０を配設してもよく、また、下フランジ２の側壁１２ａ，１２ｂに設けた外気取入口１４と、後部上ケース５の側壁２１ａ，２１ｂとの間に、フィルタを介装してもよい。
【００３０】
上記のように構成した吸込み具１は、その接続パイプ６が図示しない電気掃除機本体に接続されたホースの握り部又は握り部に接続された延長管に接続され、吸込み具１を握り部により前後左右等に移動させて清掃作業を行う。このとき、電気掃除機本体の運転によって吸込み具１に吸引力が作用し、掃除面上の塵埃を吸込み口３及び前風路１０から吸引し、電気掃除機本体の集塵室に集塵する。また、上記の吸引力により、下ケース２の側壁１２ａ，１２ｂに設けた外気取入口１４から吸引された外気が、軸受６１ａ，６１ｂと支持リング５０ａ，５０ｂとの連結部に形成されたラビリンス部Ｌから外気流入孔６９，６０を経て回転ブラシ３０内に導かれ、この空気流が回転翼４４に作用して回転ブラシ３０を回転させ、外周に設けた回転清掃体及び固定清掃体２０により、掃除面を清掃する。なお、回転ブラシ３０内に導入された空気流は、回転翼４４に作用したのち、噴気口４３から排出される。
【００３１】
上記のように構成した本発明によれば、支持リング５０と軸受６１との連結部がラビリンス構造Ｌになっているため、回転清掃体の端部に毛髪が巻きついても支持軸４５に絡みつくことがないので、回転ブラシ３０の回転に影響を与えることがない。
また、支持リング５０の外径を軸受６１の外径より大きく形成し、支持リング５０により軸受６１の外周を覆うようにしたので、毛髪が支持リング５０と軸受６１との間に直接侵入することがない。
【００３２】
また、下ケース２と後部上ケース５に、支持リング５０の鍔部５１と近接して上下の支持フランジ１８，２４を対向して設けたので、毛髪が回転清掃体に巻きついても、鍔部５１と上下の支持フランジ１８，２４との間の摺動面に毛髪が入りにくく、さらに、外気取入口１４を下ケース２の側壁１２ａ，１２ｂに設けたので、上記摺動面に毛髪が入りにくい。
また、上下の支持フランジ１８，２４と支持リング５０の鍔部５１との間に、ウレタン、フエルト等の起毛布部材７０を配置すれば、両者の摺動面にすき間がなくなるので、毛髪が支持軸３０に絡むことがなく、回転ブラシ３０の回転を損ねることがない。
【００３３】
上記の説明では、図示の吸込み具に本発明を実施した場合を示したが、本発明はこれに限定するものではなく、他の構造の吸込み具にも本発明を実施することができる。
また、上記の説明では、２分割した回転体を結合し、中心部に支持軸を貫通した回転ブラシに本発明を実施した場合を示したが、例えば１本の回転体の両端部に支持軸を設けた回転ブラシ等、他の構造の回転ブラシにも本発明を実施することができる。
【００３４】
【発明の効果】
本発明に係る電気掃除機の吸込み具は、これに設けた回転ブラシの両端部に支持リングを固定すると共に、下ケースと上ケースとにより支持リングを支持する軸受を挾持し、軸受と支持リングとの連結部をラビリンス構造としたので、回転ブラシに巻き付いた毛髪等が軸受に侵入して支持軸に絡みつくことがなく、このため支持軸の回転に影響を与えることがない。
【図面の簡単な説明】
【図１】本発明の一実施の形態に係る電気掃除機の吸込み具の下面図である。
【図２】図１の上面図である。
【図３】図１の回転ブラシの分解斜視図である。
【図４】回転ブラシの分解斜視図である。
【図５】図４の要部拡大である。
【図６】図３の支持リングの正面図、右側面図、左側面図及び断面図である。
【図７】図３の軸受の正面図、右側面図、左側面図及び断面図である。
【図８】回転ブラシに固定した支持リングに軸受を連結した状態を示す断面図である。
【図９】吸込み具に回転ブラシを支持した状態を示す断面図である。
【符号の説明】
１  吸込み具、２  下ケース、３  吸込み口、４，５  上ケース、１２ａ，１２ｂ  下ケースの側壁、１７  収容部、１８  下部支持フランジ、２１ａ，２１ｂ  上ケースの側壁、２４  上部支持フランジ、３０  回転ブラシ、３３  清掃体取付部、４５  支持軸、４６  スプライン、５０ａ，５０ｂ  支持リング、６１  軸受、７０  起毛布部材、Ｌ  ラビリンス構造。
【図１】
2004283405.tif 000003
【図２】
2004283405.tif 000004
【図３】
2004283405.tif 000005
【図４】
2004283405.tif 000006
【図５】
2004283405.tif 000007
【図６】
2004283405.tif 000008
【図７】
2004283405.tif 000009
【図８】
2004283405.tif 000010
【図９】
2004283405.tif 000011